(57)【要約】【課題】本発明の目的は、機械室から効率良く空気を排出することができる冷凍装置の室外ユニットを提供することである。【解決手段】  冷凍装置の室外ユニット１００の内部空間は、仕切板１３によって、室外ファン２０が配置される送風機室Ｓ２と電装品５６が配置される機械室Ｓ１とに区画される。電装品ケーシング５１は、第３側面５１ｄと、上面５１ａと、突出部７０と、有する。第３側面５１ｄは、機械室Ｓ１側に対向して電装品５６の側方を覆う。上面５１ａは、電装品５６との間に隙間をあけつつ電装品５６の上方を覆う。突出部７０は、上面５１ａの近傍に設けられ第３側面５１ｄよりも送風機室Ｓ２側に突出する。電装品ケーシング５１の第３側面５１ｄと、突出部７０とによって、機械室Ｓ１と送風機室Ｓ２とを連通する少なくとも１の下向きの開口７２が形成されている。【選択図】図７
2014043974.tif 000002
【特許請求の範囲】
【請求項１】
内部空間が、仕切板（１３）によって、室外ファン（２０）が配置される送風機室（Ｓ２）と電装品（５６）が配置される機械室Ｓ１とに区画される、冷凍装置の室外ユニット（１００）であって、
前記機械室側に対向して前記電装品の側方を覆う側面（５１ｄ）と、前記電装品との間に隙間をあけつつ前記電装品の上方を覆う上面（５１ａ）と、前記上面の近傍に設けられ前記側面よりも前記送風機室側に突出する突出部（７０）と、を有する電装品ケーシング（５１）を備えており、
前記電装品ケーシングの側面と、前記突出部とによって、前記機械室と前記送風機室とを連通する少なくとも１の下向きの開口（７２）が形成されている、冷凍装置の室外ユニット。
【請求項２】
前記突出部は、前記上面から延在して前記側面よりも前記送風機室側に突出する、請求項１に記載の冷凍装置の室外ユニット。
【請求項３】
前記開口は虫の侵入を防ぐ大きさである、請求項２に記載の冷凍装置の室外ユニット。
【請求項４】
前記開口は前記電装品ケーシングの側面に沿って細長く形成されている、請求項３に記載の冷凍装置の室外ユニット。
【請求項５】
前記電装品は、リアクタ（５５ａ）を含む電子部品（５５）が載置されている基板（５４）である、請求項１に記載の冷凍装置の室外ユニット。
【請求項６】
前記基板の板状面が前記電装品ケーシングの側面に沿うように配置されている、請求項１に記載の冷凍装置の室外ユニット。
【請求項７】
前記リアクタは、前記電装品ケーシングの下方に対応する前記基板上に配置されている、請求項６に記載の冷凍装置の室外ユニット。
【請求項８】
前記電装品ケーシングの側面から前記送風機室に突出するヒートシンク（６０）がさらに備えられており、
前記ヒートシンクと前記開口との間隔は、前記ヒートシンクに衝突して飛散したミストが前記開口から侵入しない距離に設計されている、請求項１に記載の冷凍装置の室外ユニット。
【請求項９】
前記電装品ケーシングの突出部が前記側面から前記送風機室に突出する距離は、前記ヒートシンクが前記側面から突出する距離よりも小さい、請求項８に記載の冷凍装置の室外ユニット。
【発明の詳細な説明】
【技術分野】
【０００１】
本発明は、冷凍装置の室外ユニットに関する。
【背景技術】
【０００２】
特許文献１（特開２００９−１４４９９５号公報）には、室外機において、空気室と機械室とを区画する仕切板１３に連通孔が形成されている構成が開示されている。この連通孔を介して機械室から空気室に向かって空気が流れ得る。特許文献１では、連通孔を介して雨水等が機械室側に侵入しにくくするために、連通孔から機械室に至る通風路は、ラビリンス構造をなしており、最終的に電装品ケーシングの上部の空間につながる。このような構成により、特許文献１では、機械室の空気は、電装品ケーシング内部を伝い、さらに電装品ケーシングの上部に迂回し、通風路及び連通孔を介して空気室に排出される。
【発明の概要】
【発明が解決しようとする課題】
【０００３】
しかし、特許文献１の構成では、機械室から空気室に至る経路は電装品ケーシングの上部を迂回しており距離が長く、効率良く機械室内部の空気を空気室に排出することができない。
【０００４】
そこで、本発明の目的は、機械室から効率良く空気を排出することができる冷凍装置の室外ユニットを提供することである。
【課題を解決するための手段】
【０００５】
本発明の第１観点に係る冷凍装置の室外ユニットは、電装品ケーシングを備えている。冷凍装置の室外ユニットの内部空間は、仕切板によって、室外ファンが配置される送風機室と電装品が配置される機械室とに区画される。電装品ケーシングは、側面と、上面と、突出部と、を有する。側面は、機械室側に対向して電装品の側方を覆う。上面は、電装品との間に隙間をあけつつ電装品の上方を覆う。突出部は、上面の近傍に設けられ側面よりも送風機室側に突出する。電装品ケーシングの側面と、突出部とによって、機械室と送風機室とを連通する少なくとも１の下向きの開口が形成されている。
【０００６】
この冷凍装置の室外ユニットによれば、電装品と電装品ケーシングとの隙間により通風経路が形成されており、簡素な構造である。また、通風経路から開口までの経路は、電装品ケーシング内に一連に形成されている。さらに、突出部は電装品ケーシングの上方に設けられているため、通風経路から開口までの距離は短い。よって、自然対流により電装品ケーシングの上方に進んだ空気は、一連、簡素かつ短い経路内をスムーズに進行し、効率良く機械室から送風機室に排出される。また、自然対流は電装品ケーシング内の空間で発生するため、電装品表面の近傍に沿って空気が上方に進み、電装品が効率良く冷却される。
【０００７】
また、電装品ケーシングの側面と突出部との開口が下向きに形成されているため、水及びミスト等が突出部内に侵入して、ひいては機械室に侵入するのを抑制することができる。
【０００８】
本発明の第２観点に係る冷凍装置の室外ユニットは、第１観点に係る冷凍装置の室外ユニットにおいて、突出部は、上面から延在して側面よりも送風機室側に突出する。
【０００９】
この構成によれば、電装品ケーシングの上方に向かった空気は、その流れを阻害されることなくスムーズに、電装品と電装品ケーシングの上面との間の通風経路から突出部に進む。よって、空気は、機械室から送風機室に効率良く排出される。
【００１０】
本発明の第３観点に係る冷凍装置の室外ユニットは、第２観点に係る冷凍装置の室外ユニットにおいて、開口は虫の侵入を防ぐ大きさである。
【００１１】
この構成によれば、開口から機械室に虫が侵入して電装品に悪影響を及ぼすのを抑制できる。
【００１２】
本発明の第４観点に係る冷凍装置の室外ユニットは、第３観点に係る冷凍装置の室外ユニットにおいて、開口は電装品ケーシングの側面に沿って細長く形成されている。
【００１３】
この構成によれば、開口は電装品ケーシングの側面に沿って細長く形成されているため、突出部が送風機室側に突出する距離を小さくしつつ、かつ開口面積を大きくして機械室から送風機室に効率良く空気が排出される。また、突出部の送風機室側への突出距離を小さくできるため、送風機室から突出部内への水及びミスト等の侵入を抑制できる。
【００１４】
本発明の第５観点に係る冷凍装置の室外ユニットは、第１観点に係る冷凍装置の室外ユニットにおいて、電装品は、リアクタを含む電子部品が載置されている基板である。
【００１５】
ここでは、基板にリアクタが載置されているため、リアクタとその他の電子部品とを基板上で接続できる。また、リアクタの熱を上記自然対流を用いて効率良く冷却できる。
【００１６】
本発明の第６観点に係る冷凍装置の室外ユニットは、第１観点に係る冷凍装置の室外ユニットにおいて、基板の板状面が電装品ケーシングの側面に沿うように配置されている。
【００１７】
ここでは、基板は板状面が電装品ケーシングの側面に沿って鉛直方向に配置されている。よって、基板の表面に沿った空気の流れが形成されやすくなり、基板上の電装品の発熱により温められた空気を自然対流を利用して効率良く電装品ケーシングの上方に向かわせることができる。
【００１８】
本発明の第７観点に係る冷凍装置の室外ユニットは、第６観点に係る冷凍装置の室外ユニットにおいて、リアクタは、電装品ケーシングの下方に対応する基板上に配置されている。
【００１９】
ここでは、発熱量が多いリアクタが電装品ケーシングの下方に配置されている。リアクタの熱により温められた空気は下方から上方に向かい自然対流が効率良く発生する。よって、リアクタの冷却効率を高めることができる。
【００２０】
本発明の第８観点に係る冷凍装置の室外ユニットは、第１観点に係る冷凍装置の室外ユニットにおいて、電装品ケーシングの側面から送風機室に突出するヒートシンクがさらに備えられている。また、ヒートシンクと開口との間隔は、ヒートシンクに衝突して飛散したミストが開口から侵入しない距離に設計されている。
【００２１】
この構成によれば、ファンによって飛散した水及びミスト等がヒートシンクのフィンに衝突し、フィンから跳ね返った水及びミスト等が開口から突出部に侵入するのを抑制できる。
【００２２】
本発明の第９観点に係る冷凍装置の室外ユニットは、第８観点に係る冷凍装置の室外ユニットにおいて、電装品ケーシングの突出部が側面から送風機室に突出する距離は、ヒートシンクが側面から突出する距離よりも小さい。
【００２３】
この構成によれば、突出部が送風機室に突出する距離を短くすることで、フィンから飛散した水及びミスト等が開口から突出部に侵入するのを抑制できる。
【発明の効果】
【００２４】
本発明の第１観点に係る冷凍装置の室外ユニットでは、自然対流により電装品ケーシングの上方に進んだ空気は、一連、簡素かつ短い経路内をスムーズに進行し、効率良く機械室から送風機室に排出される。また、自然対流は電装品ケーシング内の空間で発生するため、電装品表面の近傍に沿って空気が上方に進み、電装品が効率良く冷却される。
【００２５】
また、水及びミスト等が突出部内に侵入して、ひいては機械室に侵入するのを抑制することができる。
【００２６】
本発明の第２観点に係る冷凍装置の室外ユニットでは、空気は、機械室から送風機室に効率良く排出される。
【００２７】
本発明の第３観点に係る冷凍装置の室外ユニットでは、開口から機械室に虫が侵入して電装品に悪影響を及ぼすのを抑制できる。
【００２８】
本発明の第４観点に係る冷凍装置の室外ユニットでは、突出部が送風機室側に突出する距離を小さくしつつ、かつ開口面積を大きくして機械室から送風機室に効率良く空気が排出される。また、送風機室から突出部内への水及びミスト等の侵入を抑制できる。
【００２９】
本発明の第５観点に係る冷凍装置の室外ユニットでは、リアクタとその他の電子部品とを基板上で接続できる。また、リアクタの熱を上記自然対流を用いて効率良く冷却できる。
【００３０】
本発明の第６観点に係る冷凍装置の室外ユニットでは、基板の表面に沿った空気の流れが形成されやすくなり、基板上の電装品の発熱により温められた空気を自然対流を利用して効率良く電装品ケーシングの上方に向かわせることができる。
【００３１】
本発明の第７観点に係る冷凍装置の室外ユニットでは、リアクタの熱により温められた空気は下方から上方に向かい自然対流が効率良く発生する。よって、リアクタの冷却効率を高めることができる。
【００３２】
本発明の第８観点に係る冷凍装置の室外ユニットでは、ファンによって飛散した水及びミスト等がヒートシンクのフィンに衝突し、フィンから跳ね返った水及びミスト等が開口から突出部に侵入するのを抑制できる。
【００３３】
本発明の第９観点に係る冷凍装置の室外ユニットでは、突出部が送風機室に突出する距離を短くすることで、フィンから飛散した水及びミスト等が開口から突出部に侵入するのを抑制できる。
【図面の簡単な説明】
【００３４】
【図１】前板が外された室外ユニットの斜視図である。
【図２】前板、天板及び右側板が外された室外ユニットの斜視図である。
【図３】前板が外された室外ユニットの正面図である。
【図４】電装品箱の斜視図である。
【図５】電装品ケーシングの説明図であり、（ａ）は正面図、（ｂ）は左側面図、（ｃ）は右側面図及び（ｄ）は上面図である。
【図６】ヒートシンクを取り付けられた電装品ケーシングの上面図である。
【図７】図６のＡ−Ａ断面図である。
【図８】図７に示す視点８０から見た電装品ケーシングの斜視図である。
【図９】突出部の別の一例を示す断面図である。
【発明を実施するための形態】
【００３５】
以下、図面を参照しながら、本発明の実施形態について説明する。なお、以下の実施形態は、本発明の具体例であって、本発明の技術的範囲を限定するものではない。
【００３６】
＜実施形態＞
（１）室外ユニットの全体構成
まず、冷凍装置の室外ユニットの全体構成について説明する。
【００３７】
図１は前板が外された室外ユニットの斜視図であり、図２は前板、天板及び右側板が外された室外ユニットの斜視図であり、図３は前板が外された室外ユニットの正面図である。
【００３８】
室外ユニット１００は、空気調和を行う対象空間である居室の外部に設置されるものである。室外ユニット１００は、冷媒連絡配管（図示せず）を介して、室内の壁面や天井等に取り付けられている室内ユニット（図示せず）と接続されている。
【００３９】
（１−１）室外ユニットの外側面
室外ユニット１００は、図１、図２に示すように、外側面を形成する、前板（図示せず）、天板１０、右側板１１及び底板１２を有する。
【００４０】
天板１０は、室外ユニット１００の上面に配置され、室外ユニット１００の内部空間の上面を覆う。天板１０は板金で形成されている。
【００４１】
前板（図示せず）は、例えばポリプロピレンなどの樹脂から形成されており、室外ユニット１００の前面に設けられている。前板には、複数のスリット状の吹出し孔が設けられている。後述のファン２０の回転により室外ユニット１００の内部空間に取り込まれた空気流は、吹出し孔を通って室外ユニット１００の外部へ排出される。
【００４２】
右側板１１は、室外ユニット１００の内部空間の右側を覆い、板金で形成されている。
【００４３】
底板１２は、室外ユニット１００の下面に配置され、室外ユニット１００の内部空間の下方を覆う。底板１２は板金で形成されている。
【００４４】
（１−２）室外ユニットの内部空間
室外ユニット１００の内部空間には、仕切板１３、ファン２０、室外熱交換器３０、圧縮機４０及び電装品箱５０が配置されている。
【００４５】
仕切板１３は、底板１２に対して垂直に設けられており、上面視において屈曲した形状をなしている。仕切板１３は、前板から背面に向かって右側板１１に概ね平行な部分と、その平行な部分から右側板１１に向かって延びる部分と、を有している。この仕切板１３は、室外ユニット１００の内部空間を機械室Ｓ１と送風機室Ｓ２とに仕切る。機械室Ｓ１は仕切板１３と右側板１１と前板の右側一部分とに囲まれる空間であり、雨風の侵入が抑えられている。従って、機械室Ｓ１には、図１〜図３に示すように、電装品箱５０や圧縮機４０などの風雨から保護する必要のある機械部品の多くが収容される。室外ユニット１００の内部空間の他の空間は、室外ユニット１００の外部から取り込まれた空気が、室外熱交換器３０を通って室外へと排出される送風機室Ｓ２となっている。
【００４６】
ファン２０は、複数の羽を有するプロペラファンであり、送風機室Ｓ２に配置されている。ファン２０は、送風機室Ｓ２のうち室外熱交換器３０の前方、すなわち下流側に位置しており、前板の背面に位置している。ファン２０は、正面視において、送風機室Ｓ２の略中央に配置されており、仕切板１３の左側方に位置している。また、ファン２０の中心にはファンモータ収容部２１が設けられている。ファンモータ収容部２１には、ファンモータ２２が前面側から挿入されて収容される。ファン２０は、ファンモータ２２の回転軸に固定され、ファンモータ２２によって前後方向に平行な軸を中心に回転駆動される。ファン２０によって生成された空気流は、室外ユニット１００の背面側から送風機室Ｓ２へと取り込まれ、室外熱交換器３０及び前板の吹出し孔等を通って、室外ユニット１００の外部へと排出される。
【００４７】
室外熱交換器３０は送風機室Ｓ２に配置されており、通過する空気との間で熱交換を行う。室外熱交換器３０は、略Ｌ字形状の形状をなしており、室外ユニット１００の背面に沿う部分と、背面に沿う部分から左側に屈曲して延在する部分と、を有する。
【００４８】
圧縮機４０は、機械室Ｓ１に配置されており底板１２に固定される。圧縮機４０は、冷媒を圧縮するためのものであって、圧縮機モータ（図示せず）によって駆動される。
【００４９】
電装品箱５０は、機械室Ｓ１の上部に、仕切板１３に取り付けられて配置される。電装品箱５０には、各種装置の制御を行うためのマイクロコンピュータチップや制御プログラムを格納するメモリなどの電子部品５５（図４参照）が内装されている。電装品箱５０内の電子部品５５は、圧縮機４０等とハーネス４１などによって接続される。図３に示すようにヒートシンク６０が電装品箱５０の背面から送風機室Ｓ２に突出するように設けられている。電装品箱５０については次に詳述する。
【００５０】
（２）電装品箱
図４は電装品箱の斜視図である。電装品箱５０は、電装品ケーシング５１、端子台ユニット５３及び制御基板５４を有している。
【００５１】
（２−１）電装品ケーシング
電装品ケーシング５１は、弾性を有する樹脂材料から一体成型された箱状の形状を有し、前面全体に開口を有している。電装品ケーシング５１は、制御基板５４を内部に収容する。電装品ケーシング５１の前面右側には、端子台５３ｄを有する端子台ユニット５３が設けられている。
【００５２】
図５は電装品ケーシングの説明図であり、（ａ）は正面図、（ｂ）は左側面図、（ｃ）は右側面図及び（ｄ）は上面図である。図６はヒートシンクが取り付けられた電装品ケーシングの上面図である。図７は図６のＡ−Ａ断面図である。図８は図７に示す視点８０から見た電装品ケーシングの斜視図である。
【００５３】
電装品ケーシング５１は、上面５１ａ、第１側面５１ｂ、第２側面５１ｃ、第３側面５１ｄ、底面５１ｅ及び突出部７０を有する。
【００５４】
（ａ）上面、第１側面、第２側面、第３側面及び底面
図４、図５等に示すように、上面５１ａは、電装品箱５０が仕切板１３に取り付けられた状態で天板１０に沿う面であり、制御基板５４の上部を覆う面である。底面５１ｅは、上面５１ａに対向する面であり、制御基板５４の下部を覆う面である。図７に示すように、第３側面５１ｄは、背面５１ｄ−１及び突出面５１ｄ−２を有する。背面５１ｄ−１は、上面５１ａに対して垂直方向の面であり、機械室Ｓ１側に対向して制御基板５４の背面を覆う。突出面５１ｄ−２は、背面５１ｄ−１の上端から送風機室Ｓ２側に屈曲している面であり、上面５１ａと概ね平行に設けられている。第１側面５１ｂ及び第２側面５１ｃは、それぞれ制御基板５４の左側及び右側側方を覆う側面である。上面５１ａ、第１側面５１ｂ、第２側面５１ｃ、第３側面５１ｄ及び底面５１ｅが図４に示すように箱状を成し、内部に空間を形成する。この内部空間には、制御基板５４を含む電装品５６が収納される。
【００５５】
図５に示すように第３側面５１ｄには側面開口５１ｆが設けられており、側面開口５１ｆにはヒートシンク６０（図６参照）が配置される。ヒートシンク６０は、インバータ制御素子等の運転時の発熱を外部に逃すための部材であり、アルミ板及び銅板等から構成され多数のフィン６０ａを有する。ヒートシンク６０は、制御基板５４の背面から送風機室Ｓ２側に突出するように側面開口５１ｆに嵌め込まれる。フィン６０ａは制御基板５４上の電子部品５５に接触しており、電子部品５５から発生した熱を送風機室Ｓ２に放出する。
【００５６】
（ｂ）突出部
図７に示すように、突出部７０は、上面５１ａの近傍に第３側面５１ｄの背面５１ｄ−１より送風機室Ｓ２側に突出して設けられている。突出部７０は突出上面７０ａ、突出側面７０ｂ及び突出下面７０ｃを有しており、図７に示すように上面５１ａ及び突出上面７０ａとは同一平面上に位置している。上面５１ａは、長さＬ１で示される部分であり、第３側面５１ｄの背面５１ｄ−１よりも機械室Ｓ１側の面である。一方、突出上面７０ａは長さＬ２で示される部分であり、背面５１ｄ−１より送風機室Ｓ２側の面である。
【００５７】
突出側面７０ｂは、突出上面７０ａの先端に突出上面７０ａに対して交差するように設けられている面である。突出側面７０ｂは概ね背面５１ｄ−１に平行に設けられている。突出下面７０ｃは突出側面７０ｂから第３側面側５１ｄ側に向かって延在する面である。突出下面７０ｃは上面５１ａと概ね平行に設けられている。突出下面７０ｃと第３側面５１ｄの突出面５１ｄ−２とは互いに対向しており、概ね同一平面上に位置している。
【００５８】
突出下面７０ｃと第３側面５１ｄの突出面５１ｄ−２との間には開口７２が設けられている。この開口７２は、機械室Ｓ１と送風機室Ｓ２とを連通しており、機械室Ｓ１の空気を送風機室Ｓ２に排出するための開口である。図８に示すように電装品ケーシング５１をヒートシンク６０側の下方から見ると、送風機室Ｓ２側に開口７２が形成されている。開口７２は、突出部７０の下方に設けられているため下向きの開口となっている。そのため、水及びミスト等が突出部７０内に侵入して、ひいては機械室Ｓ１に侵入するのを抑制することができる。
【００５９】
開口７２の数は制限されないが、図８に示すように例えば４つの開口７２ａ、７２ｂ、７２ｃ及び７２ｄが設けられる。また、開口７２の大きさは虫の侵入を防ぐ大きさに形成されていると好ましい。この場合、開口７２から機械室Ｓ１に虫が侵入して電装品５６、ハーネス４１及び圧縮機４０等に悪影響を及ぼすのを抑制できる。一例であるが、開口７２は例えば幅２．５ｃｍ×長さ５〜１０ｃｍの大きさに形成される。
【００６０】
図８に示すように、開口７２は、第３側面５１ｄの背面５１ｄ−１の板状面に沿う方向に細長く形成されていると好ましい。これにより、突出部７０が送風機室Ｓ２側に突出する距離を小さくしつつ、かつ開口面積を大きくして機械室Ｓ１から送風機室Ｓ２に効率良く空気が排出される。また、突出部７０の送風機室Ｓ２側への突出距離を小さくできるため、送風機室Ｓ２から突出部７０内への水及びミスト等の侵入を抑制できる。
【００６１】
図７に示すように、ヒートシンク６０と開口７２との間隔Ｌ３は、ヒートシンク６０に衝突して飛散したミスト等が開口７２から突出部７０に侵入しない距離に設計されている。間隔Ｌ３は例えば５ｃｍ以上である。よって、ファン２０によって飛散した水及びミスト等がヒートシンク６０のフィン６０ａに衝突し、フィン６０ａから跳ね返った水及びミスト等が開口７２から突出部７０に侵入するのを抑制できる。
【００６２】
図７に示すように、電装品ケーシング５１の突出部７０が背面５１ｄ−１から送風機室Ｓ２に突出する距離Ｌ２は、ヒートシンク６０が背面５１ｄ−１から送風機室Ｓ２に突出する距離Ｌ４よりも小さいと好ましい。突出部７０が送風機室Ｓ２に突出する距離を短くすることで、フィン６０ａから飛散した水及びミスト等が開口７２から突出部７０に侵入するのを抑制できる。より好ましくは、開口７２からの水及びミスト等の侵入を抑制するために、開口７２と背面５１ｄ−１との距離Ｌ５を小さくする。
【００６３】
（２−２）端子台ユニット
端子台ユニット５３は、電装品ケーシング５１の右前面に取り付けられている。図４に示すように、端子台ユニット５３は、端子台開口５３ａ、端子台右側壁５３ｂ、端子台左側壁５３ｃ、端子台５３ｄ及び端子台背面部５３ｅを有する。端子台右側壁５３ｂ及び端子台左側壁５３ｃは、端子台背面部５３ｅから突出しており、端子台５３ｄの右側方及び左側方を覆うように形成されている。端子台５３ｄは、室内ユニットとの間で送受信されるデータを伝送するための配線等が接続される端子部品からなる。端子台背面部５３ｅは、電装品ケーシング５１の上面５１ａ及び第２側面５１ｃとネジを介して接続される。
【００６４】
（２−３）制御基板
制御基板５４は、電装品ケーシング５１前面の開口を介して電装品ケーシング５１の内部空間に導入され、図４に示すようにその背面が電装品ケーシング５１の第３側面５１ｄに対向するように配置される。よって、制御基板５４はその板状面が天板１０及び底板１２に対して垂直方向に沿って配置される。制御基板５４上には、マイクロコンピュータ、抵抗、リアクタ５５ａ及びコンデンサ５５ｂなどの電子部品５５が配置されている。リアクタ５５ａは、圧縮機４０等を駆動するモータの整流回路を構成する。リアクタ５５ａが制御基板５４に搭載されていると、リアクタ５５ａとその他の電子部品とを基板上で接続できる。
【００６５】
（３）空気の流れ
次に、図７を用いて機械室Ｓ１から送風機室Ｓ２への空気の流れを説明する。
【００６６】
電装品ケーシング５１内の空気は、電子部品５５及び制御基板５４を含む電装品５６等から発生した熱により温められる。温められた空気は、自然対流Ｎにより電装品ケーシング５１により囲まれる空間を下方から上方に向かう。電装品５６と電装品ケーシング５１の上面５１ａとの間の隙間は、自然対流Ｎにより押し上げられた空気が通過する通風経路Ｐとなる。よって、熱を有する空気は、電装品ケーシング５１内を上方に進み、通風経路Ｐを通って突出部７０に進む。突出部７０内の空気は、電装品ケーシング５１の第３側面５１ｄと突出部７０との間の下向きの開口７２を介して送風機室Ｓ２に排出される。
【００６７】
通風経路Ｐは電装品５６と電装品ケーシング５１との隙間により形成されており、簡素な構造である。また、通風経路Ｐから開口７２までの経路は、電装品ケーシング５１内に一連に形成されている。さらに、突出部７０は電装品ケーシング５１の上方に設けられているため、通風経路Ｐから開口７２までの距離は短い。よって、自然対流Ｎにより電装品ケーシング５１の上方に進んだ空気は、一連、簡素かつ短い経路内をスムーズに進行し、効率良く機械室Ｓ１から送風機室Ｓ２に排出される。また、自然対流Ｎは電装品ケーシング５１内で発生するため、電装品５６表面の近傍に沿って空気が上方に進み、電装品５６が効率良く冷却される。
【００６８】
なお、室外ユニット１００が運転されるとファン２０が回転するため、送風機室Ｓ２内の気圧は機械室Ｓ１内の気圧よりも低くなる。よって、運転開始によって機械室Ｓ１から送風機室Ｓ２への空気の流れがより促進される。また、機械室Ｓ１から送風機室Ｓ２への空気の流れにより、開口７２から突出部７０へのミスト及び水等の侵入もさらに抑制される。
【００６９】
上記実施形態では、電装品ケーシング５１の上面５１ａからそのまま延在するように突出部７０が形成されている。そのため、電装品ケーシング５１の上方に向かった空気は、その流れを阻害されることなくスムーズに、電装品５６と電装品ケーシング５１の上面との間の通風経路Ｐから突出部７０に進む。よって、空気は、機械室Ｓ１から送風機室Ｓ２に効率良く排出される。
【００７０】
また、上記実施形態では、制御基板５４はその板状面が第３側面５１ｄの背面５１ｄ−１に沿って鉛直方向に配置されている。よって、制御基板５４の表面に沿った空気の流れが形成されやすくなり、制御基板５４上の電装品５６の発熱により温められた空気を自然対流Ｎを利用して効率良く上方に向かわせることができる。
【００７１】
また、上記実施形態では、制御基板５４上にリアクタ５５ａが載置されている。一般的にリアクタ５５ａはその他の電子部品と比較して発熱量が多いが、前述のような空気の流れによりリアクタ５５ａの熱により温められた空気は効率良く送風機室Ｓ２に排出される。よって、リアクタ５５ａを効率良く冷却できる。そのため、制御基板５４上にリアクタ５５ａが載置されていても、電装品ケーシング５１内に熱がこもって電装品５６に悪影響を及ぼすのを抑制できる。
【００７２】
なお、リアクタ５５ａは、制御基板５４上のうち電装品ケーシング５１の下方に配置されていると好ましい。発熱量が多いリアクタ５５ａが電装品ケーシング５１の下方に配置されていると、リアクタ５５ａの熱により温められた空気は下方から上方に向かい、自然対流Ｎが効率良く発生する。よって、リアクタ５５ａの冷却効率を高めることができる。
【００７３】
（４）特徴
（４−１）
冷凍装置の室外ユニット１００の内部空間は、仕切板１３によって、室外ファン２０が配置される送風機室Ｓ２と電装品５６が配置される機械室Ｓ１とに区画される。電装品ケーシング５１は、第３側面５１ｄと、上面５１ａと、突出部７０と、を有する。第３側面５１ｄは、機械室Ｓ１側に対向して電装品５６の側方を覆う。上面５１ａは、電装品５６との間に隙間をあけつつ電装品５６の上方を覆う。突出部７０は、上面５１ａの近傍に設けられ第３側面５１ｄよりも送風機室Ｓ２側に突出する。電装品ケーシング５１の第３側面５１ｄと、突出部７０とによって、機械室Ｓ１と送風機室Ｓ２とを連通する少なくとも１の下向きの開口７２が形成されている。
【００７４】
電装品５６等から発生した熱により温められた空気は、自然対流Ｎにより電装品ケーシング５１により囲まれる空間を下方から上方に向かう。電装品５６と電装品ケーシング５１の上面５１ａとの間の隙間は、自然対流Ｎにより押し上げられた空気が通過する通風経路Ｐとなる。よって、熱を有する空気は、電装品ケーシング５１内を上方に進み、通風経路Ｐを通って突出部７０に進む。突出部７０内の空気は、電装品ケーシング５１の第３側面５１ｄと突出部７０との間の下向きの開口７２を介して送風機室Ｓ２に排出される。
【００７５】
通風経路Ｐは電装品５６と電装品ケーシング５１との隙間により形成されており、簡素な構造である。また、通風経路Ｐから開口７２までの経路は、電装品ケーシング５１内に一連に形成されている。さらに、突出部７０は電装品ケーシング５１の上方に設けられているため、通風経路Ｐから開口７２までの距離は短い。よって、自然対流Ｎにより電装品ケーシング５１の上方に進んだ空気は、一連、簡素かつ短い経路内をスムーズに進行し、効率良く機械室Ｓ１から送風機室Ｓ２に排出される。また、自然対流Ｎは電装品ケーシング５１内の空間で発生するため、電装品５６表面の近傍に沿って空気が上方に進み、電装品５６が効率良く冷却される。
【００７６】
また、電装品ケーシング５１の第３側面５１ｄと突出部７０との開口７２が下向きに形成されているため、水及びミスト等が突出部７０内に侵入して、ひいては機械室Ｓ１に侵入するのを抑制することができる。
【００７７】
（４−２）
突出部７０は、上面５１ａから延在して第３側面５１ｄよりも送風機室Ｓ２側に突出する。
【００７８】
電装品ケーシング５１の上面５１ａからそのまま延在するように突出部７０が形成されている。そのため、電装品ケーシング５１の上方に向かった空気は、その流れを阻害されることなくスムーズに、電装品５６と電装品ケーシング５１の上面５１ａとの間の通風経路Ｐから突出部７０に進む。よって、空気は、機械室Ｓ１から送風機室Ｓ２に効率良く排出される。
【００７９】
（４−３）
開口７２は虫の侵入を防ぐ大きさである。
【００８０】
電装品ケーシング５１の第３側面５１ｄと突出部７０とにより形成される開口７２は虫の侵入を防ぐ大きさであるため、開口７２から機械室Ｓ１に虫が侵入して電装品５６に悪影響を及ぼすのを抑制できる。
【００８１】
（４−４）
開口７２は電装品ケーシング５１の第３側面５１ｄに沿って細長く形成されている。
【００８２】
開口７２は電装品ケーシング５１の第３側面５１ｄに沿って細長く形成されているため、突出部７０が送風機室Ｓ２側に突出する距離を小さくしつつ、かつ開口面積を大きくして機械室Ｓ１から送風機室Ｓ２に効率良く空気が排出される。また、突出部７０の送風機室Ｓ２側への突出距離を小さくできるため、送風機室Ｓ２から突出部７０内への水及びミスト等の侵入を抑制できる。
【００８３】
（４−５）
電装品５６は、リアクタ５５ａを含む電子部品５５が載置されている制御基板５４である。
【００８４】
制御基板５４にリアクタ５５ａが載置されているため、リアクタ５５ａとその他の電子部品５５とを制御基板５４上で接続できる。一般的にリアクタ５５ａはその他の電子部品５５と比較して発熱量が多いが、前述の構成によりリアクタ５５ａの熱により温められた空気は効率良く送風機室Ｓ２に排出される。よって、リアクタ５５ａを効率良く冷却できるため、制御基板５４上にリアクタ５５ａが載置されていても電装品ケーシング５１内に熱がこもって電装品５６に悪影響を及ぼすのを抑制できる。
【００８５】
（４−６）
制御基板５４の板状面が電装品ケーシング５１の第３側面５１ｄに沿うように配置されている。
【００８６】
制御基板５４は板状面が電装品ケーシング５１の第３側面５１ｄに沿って鉛直方向に配置されている。よって、制御基板５４の表面に沿った空気の流れが形成されやすくなり、制御基板５４上の電装品５６の発熱により温められた空気を自然対流Ｎを利用して効率良く電装品ケーシング５１の上方に向かわせることができる。
【００８７】
（４−７）
リアクタ５５ａは、電装品ケーシング５１の下方に対応する制御基板５４上に配置されている。
【００８８】
発熱量が多いリアクタ５５ａが電装品ケーシング５１の下方に配置されている。リアクタ５５ａの熱により温められた空気は下方から上方に向かい自然対流Ｎが効率良く発生する。よって、リアクタ５５ａの冷却効率を高めることができる。
【００８９】
（４−８）
電装品ケーシング５１の第３側面５１ｄから送風機室Ｓ２に突出するヒートシンク６０がさらに備えられている。ヒートシンク６０と開口７２との間隔は、ヒートシンク６０に衝突して飛散したミストが開口７２から侵入しない距離に設計されている。
【００９０】
ヒートシンク６０と開口７２とがある程度の距離を有するように設計されている。よって、ファン２０によって飛散した水及びミスト等がヒートシンク６０のフィン６０ａに衝突し、フィン６０ａから跳ね返った水及びミスト等が開口７２から突出部７０に侵入するのを抑制できる。
【００９１】
（４−９）
電装品ケーシング５１の突出部７０が第３側面５１ｄから送風機室Ｓ２に突出する距離は、ヒートシンク６０が第３側面５１ｄから突出する距離よりも小さい。
【００９２】
突出部７０が送風機室Ｓ２に突出する距離を短くすることで、フィン６０ａから飛散した水及びミスト等が開口７２から突出部７０に侵入するのを抑制できる。
【００９３】
（５）変形例
（５−１）変形例１Ａ
上記実施形態では、電装品ケーシング５１は、上面５１ａ、第１側面５１ｂ、第２側面５１ｃ、第３側面５１ｄ及び底面５１ｅにより電装品５６を覆う。しかし、電装品５６は少なくとも背面及び上面が覆われていればよく、電装品ケーシング５１は少なくとも上面５１ａ及び第３側面５１ｄを有すればよい。
【００９４】
（５−２）変形例１Ｂ
上記実施形態では、電装品ケーシング５１の上面５１ａと突出部７０の突出上面７０ａとは同一平面上に位置している。つまり、突出上面７０ａは上面５１ａから送風機室Ｓ２側に延在するように形成されている。しかし、突出部７０が上面５１ａの近傍に形成されていればよく、上面５１ａと突出上面７０ａとは同一平面に形成されている必要は無い。図９は突出部の別の一例を示す断面図である。図９では、突出部７０の突出上面７０ａは上面５１ａと同一平面ではないが、上面５１ａの近傍に設けられている。第３側面５１ｄは、下部背面５１ｄ−３、突出面５１ｄ−２及び上部背面５１ｄ−４を有する。下部背面５１ｄ−３と上部背面５１ｄ−４との開口に対応して突出部７０が設けられている。突出部７０の突出上面７０ａは、上部背面５１ｄ−４の端部から概ね直交するように延在する。その他の構成については上記実施形態と同様である。
【００９５】
（５−３）変形例１Ｃ
上記実施形態では、制御基板５４はその板状面が天板１０及び底板１２に対して垂直方向に沿って配置される。しかし、制御基板５４及び電子部品５５を含む電装品５６において発生する熱が、自然対流Ｎにより運ばれて開口７２から排出されればよく、制御基板５４の配置方向は鉛直方向に限定されない。例えば、水平方向に配置された天板１０及び底板１２に対して斜め方向及び水平方向に配置されてもよい。
【産業上の利用可能性】
【００９６】
以上の通り、本発明によれば機械室内の熱を送風機室側に効率良く排出する機構を提供することができるので、一方の空間の熱を他方の空間に排出する必要があるあらゆる冷凍装置に適用可能である。
【符号の説明】
【００９７】
１０          天板   
１１          右側板 
１２          底板   
１３          仕切板 
２０          ファン 
２１          ファンモータ収容部   
２２          ファンモータ  
３０          室外熱交換器  
４０          圧縮機 
４１          ハーネス      
５０          電装品箱      
５１          電装品ケーシング     
５１ａ        上面   
５１ｂ        第１側面      
５１ｃ        第２側面      
５１ｄ        第３側面      
５１ｄ−１    背面      
５１ｄ−２    突出面        
５１ｄ−３    下部背面      
５１ｄ−４    上部背面    
５１ｅ        底面   
５１ｆ        側面開口      
５３          端子台ユニット       
５３ａ        端子台開口    
５３ｂ        端子台右側壁  
５３ｃ        端子台左側壁  
５３ｄ        端子台 
５３ｅ        端子台背面部  
５４          制御基板      
５５          電子部品      
５５ａ        リアクタ      
５５ｂ        コンデンサ    
５６          電装品 
６０          ヒートシンク
６０ａ        フィン 
７０          突出部 
７０ａ        突出上面      
７０ｂ        突出側面      
７０ｃ        突出下面      
７２          開口   
８０          視点   
１００        室外ユニット  
Ｓ１          機械室      
Ｓ２          送風機室    
【先行技術文献】
【特許文献】
【００９８】
【特許文献１】特開２００９−１４４９９５号公報
【図１】
2014043974.tif 000003
【図２】
2014043974.tif 000004
【図３】
2014043974.tif 000005
【図４】
2014043974.tif 000006
【図５】
2014043974.tif 000007
【図６】
2014043974.tif 000008
【図７】
2014043974.tif 000009
【図８】
2014043974.tif 000010
【図９】
2014043974.tif 000011